(57)【要約】  カテーテルとエンドエフェクタとを含む装置。カテーテルの少なくとも一部分は、ヒト心臓血管系の内腔内に収まるようにサイズ決め及び構成される。エンドエフェクタは、カテーテルの遠位端に位置付けられる。エンドエフェクタは、拡張可能なアセンブリと少なくとも１つのフレックス回路とを含む。拡張可能なアセンブリは、非拡張状態と拡張状態との間を移行するように構成される。拡張可能なアセンブリは、少なくとも１つの変形可能な支柱又はケージを含む。各フレックス回路は、接着剤なしで、拡張可能なアセンブリに固定されたフレキシブル基板と、フレキシブル基板に固定された電極とを含む。拡張状態にある拡張可能なアセンブリは、電極を付勢して組織と接触させるように構成される。電極は、長手方向に細長い部分と、長手方向に細長い部分から横方向に延在する複数の指部とを画定する魚の骨状の構成を有する。
2021529608.tif 000002
【特許請求の範囲】
【請求項１】
装置であって、
（ａ）カテーテルであって、前記カテーテルの少なくとも一部分が、ヒト心臓血管系の内腔内に収まるようにサイズ決め及び構成されている、カテーテルと、
（ｂ）前記カテーテルの遠位端に位置付けられたエンドエフェクタと、を備え、前記エンドエフェクタが、
（ｉ）拡張可能なアセンブリであって、前記拡張可能なアセンブリが、非拡張状態と拡張状態との間で移行するように構成されており、前記拡張可能なアセンブリが、少なくとも１つの変形可能な支柱又はケージを備える、拡張可能なアセンブリと、
（ｉｉ）少なくとも１つのフレックス回路と、を備え、前記少なくとも１つのフレックス回路の各フレックス回路が、
（Ａ）接着剤なしで前記拡張可能なアセンブリに固定されたフレキシブル基板と、
（Ｂ）前記フレキシブル基板に固定された電極と、を備え、前記拡張状態にある前記拡張可能なアセンブリが、前記電極を付勢して組織と接触させるように構成されており、前記電極が、長手方向に細長い部分と、前記長手方向に細長い部分から横方向に延在する複数の指部とを画定する魚の骨状の構成を有する、装置。
【請求項２】
前記拡張可能なアセンブリが、長手方向軸の周りのアレイ内で互いに角度的に離間した複数の長手方向に延在する支柱を備える、請求項１に記載の装置。
【請求項３】
前記支柱が、概ね真っ直ぐな構成と外向きに弓状に曲がった構成との間で移行し、それによって、前記拡張可能なアセンブリを、それぞれ前記非拡張状態と前記拡張状態との間で移行させるように構成されている、請求項２に記載の装置。
【請求項４】
各フレックス回路の前記フレキシブル基板が、前記複数の支柱の対応する対の支柱に固定され、前記複数の支柱の各支柱が自己拡張部材を含む、請求項２に記載の装置。
【請求項５】
各支柱が、少なくとも１つの連結タブを備え、各フレックス回路の前記フレキシブル基板が、前記対応する対の支柱の各支柱の前記少なくとも１つの連結タブに固定されている、請求項４に記載の装置。
【請求項６】
前記エンドエフェクタが、遠位ハブを更に備え、前記支柱の遠位部分が、前記遠位ハブに固定されている、請求項２に記載の装置。
【請求項７】
前記ハブに固定された中央シャフトを更に備え、前記シャフトが、前記拡張可能なアセンブリを通って延在し、前記拡張可能なアセンブリが、前記カテーテルの前記遠位端と前記ハブ及び前記中央シャフトの組み合わせとの間の相対的な長手方向の移動に応じて、前記非拡張状態と前記拡張状態との間を移行するように構成されている、請求項６に記載の装置。
【請求項８】
各支柱が、一対の長手方向に延在するセグメントと、前記長手方向に延在するセグメントを接合する遠位屈曲部とを含む、請求項２に記載の装置。
【請求項９】
前記拡張可能なアセンブリが、前記長手方向に延在する支柱の間に延在する複数の周方向に延在する支柱を更に備える、請求項２に記載の装置。
【請求項１０】
前記周方向に延在する支柱が、前記長手方向に延在する支柱を互いから角度的に離れるように付勢するように構成されている、請求項９に記載の装置。
【請求項１１】
前記エンドエフェクタが、前記拡張可能なアセンブリの上に位置付けられたスリーブを更に備え、前記少なくとも１つのフレックス回路が、前記スリーブに固定されている、請求項２に記載の装置。
【請求項１２】
前記スリーブが、織物材料を含む、請求項１１に記載の装置。
【請求項１３】
前記少なくとも１つのフレックス回路が、１つ又は２つ以上の縫合糸を介して前記拡張可能なアセンブリに固定されている、請求項１に記載の装置。
【請求項１４】
前記少なくとも１つのフレックス回路が、１つ又は２つ以上のリベットを介して前記拡張可能なアセンブリに固定されている、請求項１に記載の装置。
【請求項１５】
前記１つ又は２つ以上のリベットが、モノフィラメントポリマーで形成されている、請求項１４に記載の装置。
【請求項１６】
前記拡張可能なアセンブリが、前記拡張状態において球根状形状を形成するように構成されている、請求項１に記載の装置。
【請求項１７】
前記拡張可能なアセンブリが、前記拡張状態において円錐形状を形成するように構成されている、請求項１に記載の装置。
【請求項１８】
前記拡張可能なアセンブリが、前記拡張状態において洋ナシ形状を形成するように構成されている、請求項１に記載の装置。
【請求項１９】
装置であって、
（ａ）カテーテルであって、前記カテーテルの少なくとも一部分が、ヒト心臓血管系の内腔内に収まるようにサイズ決め及び構成されている、カテーテルと、
（ｂ）前記カテーテルの遠位端に位置付けられたエンドエフェクタと、を備え、前記エンドエフェクタが、
（ｉ）拡張可能なワイヤフレームアセンブリであって、前記拡張可能なワイヤフレームアセンブリが、非拡張状態と拡張状態との間で移行するように構成されている、拡張可能なワイヤフレームアセンブリと、
（ｉｉ）少なくとも１つのフレックス回路と、を備え、前記少なくとも１つのフレックス回路の各フレックス回路が、
（Ａ）ループ、リベット、又はステッチからなる群から選択される１つ又は２つ以上の構造体を介して、前記拡張可能なワイヤフレームアセンブリに固定されたフレキシブル基板と、
（Ｂ）前記フレキシブル基板に固定された電極と、を備え、前記拡張状態にある前記拡張可能なワイヤフレームアセンブリが、前記電極を付勢して組織と接触させるように構成されている、装置。
【請求項２０】
電気生理学的デバイスであって、
（ａ）拡張可能なアセンブリであって、前記拡張可能なアセンブリが、非拡張状態と拡張状態との間で機械的に移行するように構成されている、拡張可能なアセンブリと、
（ｂ）前記拡張可能なアセンブリの周りに位置付けられたスリーブと、
（ｃ）少なくとも１つのフレックス回路と、を備え、前記少なくとも１つのフレックス回路の各フレックス回路が、
（ｉ）接着剤なしで、前記スリーブに固定されたフレキシブル基板と、
（ｉｉ）前記フレキシブル基板に固定された電極であって、前記電極が、長手方向に細長い部分と、前記長手方向に細長い部分から横方向に延在する複数の指部とを画定する魚の骨状の構成を有する、電極と、を備え、前記拡張状態にある前記拡張可能なアセンブリが、前記電極を付勢して組織と接触させるように構成されている、電気生理学的デバイス。
【発明の詳細な説明】
【背景技術】
【０００１】
心房細動などの心臓不整脈は、心臓組織の領域が電気信号を異常に伝導するときに生じる。不整脈を治療するための処置には、そのような信号の伝達経路を外科的に破壊することが含まれる。エネルギー（例えば、高周波（radiofrequency、ＲＦ）エネルギー）を印加することによって心臓組織を選択的にアブレーションすることにより、心臓の一部分から別の部分への望まない電気信号の伝播を、停止又は修正することが可能になる場合がある。アブレーションプロセスは、電気絶縁性の損傷組織又は瘢痕組織を作り出すことによって、望まない電気経路に対する障壁を提供することができる。
【０００２】
いくつかの処置では、１つ又は２つ以上のＲＦ電極を備えるカテーテルを使用して、心臓血管系内でアブレーションを提供することができる。主要静脈又は動脈（例えば、大腿動脈）内にカテーテルを挿入し、次いで、心臓内又は心臓に隣接する心血管構造（例えば、肺静脈）内に電極を位置付けるように前進させることができる。電極を、心臓組織又は他の血管組織と接触して置き、次いでＲＦエネルギーで作動させ、それによって、接触した組織をアブレーションすることができる。いくつかの場合において、電極は、双極性であってもよい。一部の他の場合において、患者と接触している接地パッドと組み合わせて単極電極を使用してもよい。
【０００３】
アブレーションカテーテルの例は、米国特許出願公開第２０１３／００３０４２６号、発明の名称「Ｉｎｔｅｇｒａｔｅｄ  Ａｂｌａｔｉｏｎ  Ｓｙｓｔｅｍ  ｕｓｉｎｇ  Ｃａｔｈｅｔｅｒ  ｗｉｔｈ  Ｍｕｌｔｉｐｌｅ  Ｉｒｒｉｇａｔｉｏｎ  Ｌｕｍｅｎｓ」（２０１３年１月３１日公開、その開示は参照により本明細書に組み込まれる）；米国特許出願公開第２０１７／０３１２０２２号、発明の名称「Ｉｒｒｉｇａｔｅｄ  Ｂａｌｌｏｏｎ  Ｃａｔｈｅｔｅｒ  ｗｉｔｈ  Ｆｌｅｘｉｂｌｅ  Ｃｉｒｃｕｉｔ  Ｅｌｅｃｔｒｏｄｅ  Ａｓｓｅｍｂｌｙ」（２０１７年１１月２日公開、その開示は参照により本明細書に組み込まれる）；米国特許出願公開第２０１８／００７１０１７号、発明の名称「Ａｂｌａｔｉｏｎ  Ｃａｔｈｅｔｅｒ  ｗｉｔｈ  ａ  Ｆｌｅｘｉｂｌｅ  Ｐｒｉｎｔｅｄ  Ｃｉｒｃｕｉｔ  Ｂｏａｒｄ」（２０１８年３月１５日公開、その開示は参照により本明細書に組み込まれる）；米国特許出願公開第２０１８／００５６０３８号、発明の名称「Ｃａｔｈｅｔｅｒ  ｗｉｔｈ  Ｂｉｐｏｌｅ  Ｅｌｅｃｔｒｏｄｅ  Ｓｐａｃｅｒ  ａｎｄ  Ｒｅｌａｔｅｄ  Ｍｅｔｈｏｄｓ」（２０１８年３月１日公開、その開示は参照により本明細書に組み込まれる）；米国特許出願公開第２０１８／００３６０７８号、発明の名称「Ｃａｔｈｅｔｅｒ  ｗｉｔｈ  Ｓｏｆｔ  Ｄｉｓｔａｌ  Ｔｉｐ  ｆｏｒ  Ｍａｐｐｉｎｇ  ａｎｄ  Ａｂｌａｔｉｎｇ  Ｔｕｂｕｌａｒ  Ｒｅｇｉｏｎ」（２０１８年２月８日公開、その開示は参照により本明細書に組み込まれる）；米国特許第８，９５６，３５３号、発明の名称「Ｅｌｅｃｔｒｏｄｅ  Ｉｒｒｉｇａｔｉｏｎ  Ｕｓｉｎｇ  Ｍｉｃｒｏ−Ｊｅｔｓ」（２０１５年２月１７日発行、その開示は参照により本明細書に組み込まれる）；並びに米国特許第９，８０１，５８５号、発明の名称「Ｅｌｅｃｔｒｏｃａｒｄｉｏｇｒａｍ  Ｎｏｉｓｅ  Ｒｅｄｕｃｔｉｏｎ」（２０１７年１０月３１日発行、その開示は参照により本明細書に組み込まれる）に開示されている。
【０００４】
一部のカテーテルアブレーション処置は、電気生理学的（electrophysiology、ＥＰ）マッピングを使用して実行することができる。このようなＥＰマッピングは、カテーテル（例えば、アブレーションを実行するために使用されるのと同じカテーテル）上における検知電極の使用を含んでもよい。このような検知電極は、心臓血管系内の電気信号を監視して、不整脈に関与する異常な導電性組織部位の位置を正確に示すことができる。ＥＰマッピングシステムの例は、米国特許第５，７３８，０９６号、発明の名称「Ｃａｒｄｉａｃ  Ｅｌｅｃｔｒｏｍｅｃｈａｎｉｃｓ」（１９９８年４月１４日発行、その開示は参照により本明細書に組み込まれる）に記載されている。ＥＰマッピングカテーテルの例は、米国特許第９，９０７，４８０号、発明の名称「Ｃａｔｈｅｔｅｒ  Ｓｐｉｎｅ  Ａｓｓｅｍｂｌｙ  ｗｉｔｈ  Ｃｌｏｓｅｌｙ−Ｓｐａｃｅｄ  Ｂｉｐｏｌｅ  Ｍｉｃｒｏｅｌｅｃｔｒｏｄｅｓ」（２０１８年３月６日発行、その開示は参照により本明細書に組み込まれる）に記載されている。
【０００５】
ＥＰマッピングを使用することに加えて、いくつかのカテーテルアブレーション処置は、画像誘導手術（image guided surgery、ＩＧＳ）システムを使用して実行されてもよい。ＩＧＳシステムは、患者内の解剖学的構造の画像に関連して、医師がリアルタイムで患者内のカテーテルの位置を視覚的に追跡することを可能にし得る。いくつかのシステムは、Ｂｉｏｓｅｎｓｅ  Ｗｅｂｓｔｅｒ，Ｉｎｃ．（Ｃａｌｉｆｏｒｎｉａ州Ｉｒｖｉｎｅ）によるＣＡＲＴＯ  ３（登録商標）システムを含む、ＥＰマッピングとＩＧＳ機能との組み合わせを提供することができる。
【０００６】
いくつかのアブレーションカテーテルシステム及び方法が製作され、使用されてきたが、本発明者らよりも以前に、添付の特許請求の範囲に記載される本発明を製作又は使用したものは存在しないと考えられる。
【図面の簡単な説明】
【０００７】
以下の図面及び詳細な説明は、単に例示に過ぎず、本発明者らによって企図される本発明の範囲を限定することを意図するものではない。
【図１】アブレーションカテーテルアセンブリのアブレーションカテーテルが患者に挿入される医療処置の概略図を示す。
【図２Ａ】エンドエフェクタの拡張可能なアセンブリが非拡張状態にある、図１のアブレーションカテーテルアセンブリの上面平面図を示す。
【図２Ｂ】エンドエフェクタの拡張可能なアセンブリが拡張状態にある、図１のアブレーションカテーテルアセンブリの上面平面図を示す。
【図３】拡張可能なアセンブリが拡張状態にある、図２Ａのエンドエフェクタの斜視図を示す。
【図４】フレックス回路の部分が折り曲げられて下側を露出させている、図２Ａのエンドエフェクタのフレックス回路の斜視図を示す。
【図５】拡張可能なアセンブリの支柱に図４のフレックス回路を固定する機構の一例に従って、図２Ａのエンドエフェクタの部分の上面平面図を示す。
【図６】拡張可能なアセンブリの支柱に図４のフレックス回路を固定する機構の別の例に従って、図２Ａのエンドエフェクタの部分の上面平面図を示す。
【図７】拡張可能なアセンブリの支柱に図４のフレックス回路を固定するリベットを含む、図５の線７−７に沿った、図５のエンドエフェクタの部分の横方向部分の断面図を示す。
【図８】拡張可能なアセンブリの支柱に図４のフレックス回路を固定する縫合糸ループを含む、図５の線７−７に沿った、図５のエンドエフェクタの部分の横方向部分の断面図を示す。
【図９】エンドエフェクタの拡張可能なアセンブリが拡張状態にある、図１のアブレーションカテーテルアセンブリに組み込まれ得る例示的な代替エンドエフェクタの側立面図を示す。
【図１０】エンドエフェクタの拡張可能なアセンブリが拡張状態にある、図１のアブレーションカテーテルアセンブリに組み込まれ得る別の例示的な代替エンドエフェクタの側立面図を示す。
【図１１】エンドエフェクタの拡張可能なアセンブリが拡張状態にあり、わかりやすくするためにフレックス回路スリーブが省略されている、図１のアブレーションカテーテルアセンブリに組み込まれ得る別の例示的な代替エンドエフェクタの側立面図を示す。
【図１２】拡張可能なアセンブリが拡張状態にあり、フレックス回路スリーブが含まれている、図１１のエンドエフェクタの側立面図を示す。
【発明を実施するための形態】
【０００８】
本発明の特定の実施例の以下の説明は、本発明の範囲を限定する目的で使用されるべきではない。図面は、必ずしも縮尺どおりとは限らず、選択された実施形態を示しており、本発明の範囲を限定するようには意図されていない。詳細な説明は、本発明の原理を限定するものではなく一例として例示するものである。本発明の他の実施例、特徴、態様、実施形態、及び利点は、本発明を実施するために想到される最良の形態の１つを実例として示す以下の説明文より当業者には明らかとなろう。理解されるように、本発明は、いずれも本発明から逸脱することなく、他の異なる態様又は同等の態様が可能である。したがって、図面及び説明は、限定的な性質のものではなく例示的な性質のものと見なされるべきである。
【０００９】
本明細書に記載の教示、表現、変形例、実施例などのうちのいずれか１つ又は２つ以上は、本明細書に記載の他の教示、表現、変形例、実施例などのうちのいずれか１つ又は２つ以上と組み合わされ得る。したがって、以下に記載されている教示、表現、変形例、実施例などは、互いに独立して考慮されるべきではない。本明細書の教示に照らして、本明細書の教示を組み合わせることができる様々な好適な方式が、当業者には容易に明らかとなろう。このような修正形態及び変形形態は、特許請求の範囲の範囲内に含まれるものとする。
【００１０】
本明細書で使用する場合、任意の数値又は数値の範囲についての「約」又は「およそ」という用語は、構成要素の一部又は構成要素の集合が、本明細書で述べる意図された目的に沿って機能することを可能にする好適な寸法の許容範囲を示す。より具体的には、「約」又は「およそ」は、挙げられた値の±１０％の値の範囲を指してもよく、例えば、「約９０％」は、８１％〜９９％の値の範囲を指してもよい。更に、本明細書で使用する場合、「患者」、「ホスト」、「ユーザ」及び「被験体」という用語は、任意のヒト被験体又は動物被験体を指し、上述のシステム又は方法をヒトにおける使用に限定することを目的としたものではないが、ヒト患者における対象の本発明の使用は、好ましい実施形態を代表するものである。
【００１１】
Ｉ．例示的なアブレーションシステムの概要
図１は、心臓アブレーションシステムの例示的な医療処置及び関連する構成要素を示す。具体的には、図１は、アブレーションカテーテルアセンブリ（１００）のハンドル（１１０）を把持する医師（physician、ＰＨ）を示し、患者（patient、ＰＡ）の心臓（heart、Ｈ）内又はその近くの組織をアブレーションするために、患者（ＰＡ）内に配設されたアブレーションカテーテルアセンブリ（１００）のアブレーションカテーテル（１２０）のエンドエフェクタ（２００）を有する（図２Ａ〜図２Ｂに示されているが、図１には示されていない）。アブレーションカテーテルアセンブリ（１００）は、ケーブル（３０）を介して誘導駆動システム（１０）と連結される。アブレーションカテーテルアセンブリ（１００）はまた、流体導管（４０）を介して流体源（４２）とも連結されるが、これは単なる任意装備である。一組の磁場発生器（２０）は、患者（ＰＡ）の下に位置付けされ、ケーブル（２２）を介して誘導及び駆動システム（１０）と連結される。
【００１２】
本実施例の誘導駆動システム（１０）は、コンソール（１２）と、ディスプレイ（１８）とを含む。コンソール（１２）は、第１のドライバモジュール（１４）と、第２のドライバモジュール（１６）とを含む。第１のドライバモジュール（１４）は、ケーブル（３０）を介してアブレーションカテーテルアセンブリ（１００）と連結され、以下でより詳細に説明するように、エンドエフェクタ（２００）の電極（２５０）にＲＦ電力を供給するように動作可能である。いくつかの変形例では、第１のドライバモジュール（１４）はまた、電極（１７４又は２５０）からＥＰマッピング信号を受信するように動作可能である。コンソール（１２）は、そのようなＥＰマッピング信号を処理し、それによって、当該技術分野において既知のＥＰマッピングを行うプロセッサ（図示せず）を含む。いくつかの変形例では、第１のドライバモジュール（１４）はまた、以下でより詳細に説明するように、エンドエフェクタ（２００）内の位置センサ（図示せず）から位置表示信号を受信するように動作可能である。このような変形例では、コンソール（１２）のプロセッサはまた、位置センサからの位置表示信号を処理し、それによって、患者（ＰＡ）内のアブレーションカテーテル（１２０）のエンドエフェクタ（２００）の位置を判定するように動作可能である。
【００１３】
第２のドライバモジュール（１６）は、ケーブル（２２）を介して磁場発生器（２０）に連結される。第２のドライバモジュール（１６）は、磁場発生器（２０）を作動させて、患者（ＰＡ）の心臓（Ｈ）の周囲に交流磁場を発生させるように動作可能である。例えば、磁場発生器（２０）は、心臓（Ｈ）を含む所定の作業体積内に交流磁場を発生させるコイルを含んでもよい。
【００１４】
ディスプレイ（１８）は、コンソール（１２）のプロセッサと連結され、患者の解剖学的構造の画像をレンダリングするように動作可能である。このような画像は、一組の手術前又は術中に取得された画像（例えば、ＣＴ又はＭＲＩスキャン、３Ｄマップなど）に基づいてもよい。ディスプレイ（１８）を通して提供される患者の解剖学的構造の図はまた、エンドエフェクタ（２００）の位置センサからの信号に基づいて動的に変化してもよい。例えば、アブレーションカテーテル（１２０）のエンドエフェクタ（２００）が患者（ＰＡ）内で移動するとき、位置センサからの対応する位置データは、コンソール（１２）のプロセッサにディスプレイ（１８）内の患者の解剖学的構造の図をリアルタイムで更新させて、エンドエフェクタ（２００）が患者（ＰＡ）内で動くとき、エンドエフェクタ（２００）の周囲の患者の解剖学的構造の領域を描写することができる。更に、コンソール（１２）のプロセッサは、エンドエフェクタ（２００）によるＥＰマッピングを介して検出されるように、又は、専用のマッピングカテーテル（１７０）（図３）によるＥＰマッピングを介して検出されるように、異常な導電性組織部位の位置を示すように、ディスプレイ（１８）を駆動してもよい。単に一例として、コンソール（１２）のプロセッサは、患者の解剖学的構造の画像上の異常な導電性組織部位の位置を、例えば、示されたドット、十字線、又は異常な導電性組織部位の視覚的表示のいくつかの他の形態を重ね合わせることによって、重ね合わせるようにディスプレイ（１８）を駆動してもよい。
【００１５】
コンソール（１２）のプロセッサはまた、照明されたドット、十字線、エンドエフェクタ（２００）のグラフィック表現、又は何らかの他の形態の視覚的表示を重ね合わせることなどによって、患者の解剖学的構造の画像上にエンドエフェクタ（２００）の現在の位置を重ね合わせるようにディスプレイ（１８）を駆動してもよい。このような重ね合わされた視覚的表示はまた、医師が患者（ＰＡ）内でエンドエフェクタ（２００）を移動させ、それによって、エンドエフェクタ（２００）が患者（ＰＡ）内で移動する際に、患者（ＰＡ）内のエンドエフェクタ（２００）の位置に関してリアルタイム視覚フィードバックを操作者に提供するので、リアルタイムでディスプレイ（１８）上の患者の解剖学的構造の画像内で移動することができる。したがって、ディスプレイ（１８）を通して提供される画像は、エンドエフェクタ（２００）を見る任意の光学機器（すなわちカメラ）を必ずしも有することなく、患者（ＰＡ）内のエンドエフェクタ（２００）の位置を追跡するビデオを効果的に提供することができる。同じ図で、ディスプレイ（１８）は、本明細書に記載されるＥＰマッピングによって検出された異常な導電性組織部位の位置を、同時に視覚的に示すことができる。したがって、医師（ＰＨ）は、ディスプレイ（１８）を見て、マッピングされた異常な導電性組織部位に関して、また、患者（ＰＡ）内の隣接する解剖学的構造の画像に関して、エンドエフェクタ（２００）のリアルタイムの位置付けを観察することができる。
【００１６】
本実施例の流体源（４２）は、生理食塩水又はいくつかの他の好適な灌注流体を収容する袋を含む。導管（４０）は、ポンプ（４４）と更に連結されるフレキシブルチューブを含む。ポンプ（４４）は、流体源（４２）とアブレーションカテーテルアセンブリ（１００）との間の導管（４０）に沿って位置付けられる。本実施例では、ポンプ（４４）は、流体源（４２）からアブレーションカテーテルアセンブリ（１００）に流体を選択的に駆動するように動作可能な蠕動ポンプを含む。あるいは、ポンプ（４４）は、任意の他の好適な形態をとってもよい。いくつかの変形形態では、導管（４０）、流体源（４２）及びポンプ（４４）は、完全に省略される。これらの構成要素が含まれる変更例では、エンドエフェクタ（２００）は、流体源（４２）から患者内の標的部位に灌注流体を連通するように構成されてもよい。かかる灌注は、本明細書で引用した様々な特許参考文献のうちのいずれかの教示に従って行うことができ、又は本明細書の教示に鑑みて当業者には明らかであるように、任意の他の好適な様式で行ってもよい。
【００１７】
図２Ａ〜図２Ｂは、アブレーションカテーテルアセンブリ（１００）をより詳細に示す。図示のように、アブレーションカテーテル（１２０）は、ハンドル（１１０）から遠位に延在し、一方、流体コネクタアセンブリ（１３０）は、ハンドル（１１０）から近位に延在する。流体コネクタアセンブリ（１３０）は、導管（４０）と連結するように構成されており、それによって、灌注流体が流体源（４２）からエンドエフェクタ（２００）に伝達されるための経路を提供する。流体灌注は、アブレーションカテーテルアセンブリ（１００）の単に任意選択の特徴であるため、必要に応じて、流体コネクタアセンブリ（１３０）を省略してもよい。本実施例のハンドル（１１０）はまた、ソケット（１１２）を含み、ソケット（１１２）は、ケーブル（３０）の遠位端のプラグ（図示せず）を受容し、それによってコンソール（１２）とエンドエフェクタ（２００）との間の電気通信のための経路を提供するように構成される。これらの構成要素を形成するために使用することができる様々な好適な構成要素及び構成が、本明細書の教示を鑑みれば当業者には明らかとなろう。
【００１８】
ＩＩ．フレックス回路を有する拡張可能なアセンブリを備える例示的なエンドエフェクタ
図２Ａ〜図２Ｂにまた示されるように、エンドエフェクタ（２００）は、アブレーションカテーテル（１２０）の遠位端（１２２）に位置付けられる。エンドエフェクタ（２００）は、非拡張構成（図２Ａ）と拡張構成（図２Ｂ）との間を移行するように構成されている。エンドエフェクタ（２００）は、アブレーションカテーテル（１２０）が患者（ＰＡ）に挿入される際に、非拡張構成に維持され得る。エンドエフェクタ（２００）が患者の標的部位に到達すると、エンドエフェクタ（２００）は、拡張構成に移行され得る。非拡張構成と拡張構成との間で、エンドエフェクタ（２００）がどのように移行され得るかのいくつかの例は、以下でより詳細に説明されるが、他の実施例は、本明細書の教示を鑑みれば当業者には明らかであろう。
【００１９】
図３は、拡張構成において、エンドエフェクタ（２００）をより詳細に示す。エンドエフェクタ（２００）は、外部シース（１５０）の遠位端（１５２）の遠位に位置付けられる。いくつかのシナリオでは、アブレーションカテーテル（１２０）は、外部シース（１５０）内に摺動可能に配設され、かつ、アブレーションカテーテル（１２０）及び外部シース（１５０）は、遠位端（１５２）が患者（ＰＡ）内の標的部位付近になるまで、患者（ＰＡ）のルーメン（例えば、動脈、静脈など）内へと一緒に前進する。エンドエフェクタ（２００）は、最初に、アブレーションカテーテル（１２０）と外部シース（１５０）との組み合わせが位置へと前進する際に、遠位端（１５２）に対して近位に後退され得る。標的部位に到達すると、外部シース（１５０）が静止して保持される際にアブレーションカテーテル（１２０）を遠位に前進させ、それによってエンドエフェクタ（２００）を遠位端（１５２）から前進させることができる。代替的に、アブレーションカテーテル（１２０）は、外部シース（１５０）が近位に後退してエンドエフェクタ（２００）を露出させる際に静止して保持されてもよい。更に他の変形例では、外部シース（１５０）は省略されている。
【００２０】
この実施例のエンドエフェクタ（２００）は、拡張可能なアセンブリ（２１０）、中央シャフト（２１２）、及び遠位ハブ（２２０）を含む。拡張可能なアセンブリ（２１０）は、一組のフレックス回路アセンブリ（２４０）を支持するフレームを形成するワイヤ又はビームである一組の支柱（２３０）を含む。支柱（２３０）は、アブレーションカテーテル（１２０）の遠位端（１２２）から長手方向に延在し、概して遠位ハブ（２２０）で収束する。単に一例として、支柱（２３０）の近位端は、インターロッキングジョイントを介して、アブレーションカテーテル（１２０）の遠位端（１２２）と接合されてもよく、これはポリマー又は任意の他の好適な材料（複数可）で形成され得る。いくつかの変形形態では、１つ又は２つ以上の追加のワイヤ、ビーム、又は他の構造部材が、隣接する支柱（２３０）の間を横方向に延在する。単に一例として、支柱（２３０）は、ニチノール、自己拡張性ポリマー、又は任意の他の好適な材料（複数可）で形成され得る。支柱（２３０）は、互いから角度的に離間しており、拡張可能なアセンブリ（２１０）が拡張構成にあるとき、概ね球根状の構成を有するエンドエフェクタ（２００）を提供するように外向きに曲がるように構成される。いくつかの変形例では、支柱（２３０）は、外向きの湾曲構成をとるように弾性的に付勢される。いくつかのそのような変形例では、外部シース（１５０）は、外部シース（１５０）がエンドエフェクタ（２００）の上に位置付けられるときに支柱（２３０）を拘束し、それによって、エンドエフェクタ（２００）が外部シース（１５０）の遠位端（１５２）に対して遠位に位置付けられるまで、拡張可能なアセンブリ（２１０）を非拡張構成に維持する。
【００２１】
別の単なる例示的な例として、拡張可能なアセンブリ（２１０）は、拡張可能なアセンブリ（２１０）を拡張構成と非拡張構成との間で移行するために、アクチュエータによって選択的に駆動されてもよい。例えば、いくつかのそのような変形例では、中央シャフト（２１２）は、遠位ハブ（２２０）に、かつハンドル（１１０）に対して長手方向に固定される。並進作動アセンブリ（例えば、プッシュロッド、プッシュワイヤなど）（図示せず）が、支柱（２３０）の近位端と連結される。作動アセンブリが近位位置から遠位位置へと前進するとき、支柱（２３０）の近位端は遠位に並進し、一方、支柱（２３０）の遠位端は長手方向に静止したままであり、それによって支柱（２３０）が外向きに座屈して反り、それによって拡張可能なアセンブリ（２１０）を拡張状態に移行させる。作動アセンブリが遠位位置から近位位置まで後退するとき、支柱（２３０）の近位端は近位方向に並進し、一方、支柱（２３０）の遠位端は長手方向に静止したままであり、それによって支柱（２３０）を概ね真っ直ぐにし、それによって拡張可能なアセンブリ（２１０）を非拡張状態に移行させる。
【００２２】
別の変形形態として、支柱（２３０）の近位端は、ハンドル（１１０）に対して長手方向に固定されてもよく、作動アセンブリは遠位ハブ（２２０）と連結されてもよい。作動アセンブリ（例えば、プルワイヤなど）が遠位位置から近位位置まで後退するとき、支柱（２３０）の遠位端は近位に並進し、一方、支柱（２３０）の近位端は長手方向に静止したままであり、それによって支柱（２３０）が外向きに座屈して反り、それによって拡張可能なアセンブリ（２１０）を拡張状態に移行させる。作動アセンブリが近位位置から遠位位置へと前進するとき、支柱（２３０）の遠位端は遠位に並進し、一方、支柱（２３０）の近位端は長手方向に静止したままであり、それによって支柱（２３０）を概ね真っ直ぐにし、それによって拡張可能なアセンブリ（２１０）を非拡張状態に移行させる。拡張可能なアセンブリが非拡張状態と拡張状態との間で移行し得る他の好適な方式は、本明細書の教示を鑑みれば当業者には明らかであろう。また、支柱（２３０）は、様々な他の好適な構成及び関連する構成要素を有し得ることも理解されたい。更に、拡張可能なアセンブリ（２１０）は、様々な他の構成要素及び構成を有してもよく、そのいくつかの例は、以下でより詳細に説明される。
【００２３】
各フレックス回路アセンブリ（２４０）は、本実施例では、支柱（２３０）のそれぞれの対に固定される。図４は、フレックス回路アセンブリ（２４０）をより詳しく示す。図示のように、フレックス回路アセンブリ（２４０）は、フレキシブル基板（２４２）と、フレキシブル基板（２４２）に接着された電極（２５０）とを含む。電極（２５０）は、中央の細長い部分（２５２）又は背骨を含み、複数の指部（２５４）が細長い部分（２５２）から横方向に延びる。したがって、電極（２５０）は、魚骨構成を有する。このような魚骨構成により、指部（２５４）は、電極（２５０）の標的組織との周方向又は赤道方向の接触面を有利に増加させることができ、一方、隣接する指部（２５４）間の間隙は、拡張可能なアセンブリ（２１０）を、その赤道に沿った位置において必要に応じて、内向きに折りたたむ及び／又は半径方向に拡張することを有利に可能にし得る。いくつかの変形例では、指部（２５４）は異なる長さを有し、一部はより長く、他はより短い。例えば、指部（２５４）は、細長い部分（２５２）の長さに沿って漸進的に減少する長さを有してもよく、電極（２５０）に概ね先細りの構成を提供する。電極（２５０）は更に、米国特許出願公開第２０１７／０３１２０２２号、発明の名称「Ｉｒｒｉｇａｔｅｄ  Ｂａｌｌｏｏｎ  Ｃａｔｈｅｔｅｒ  ｗｉｔｈ  Ｆｌｅｘｉｂｌｅ  Ｃｉｒｃｕｉｔ  Ｅｌｅｃｔｒｏｄｅ  Ａｓｓｅｍｂｌｙ」（２０１７年１１月２日公開、その開示は参照により本明細書に組み込まれる）の教示の少なくともいくつかに従って構築され、動作可能であってもよい。
【００２４】
ブラインドビア（２５６）の長手方向に延在するアレイは、細長い部分（２５２）に沿って位置付けられる。ブラインドビア（２５６）は、電極（２５０）及びフレキシブル基板（２４２）を通過して、電極（２５０）をフレキシブル基板（２４２）の下側の有線アセンブリ（２６０）と電気的に連結する導電性形成物である。有線アセンブリ（２６０）は、パッド（２６６）上の溶接部（２６４）に延在するワイヤ（２６２）を含む。パッド（２６６）は、長手方向に延在する電極（２６８）に固定され、ブラインドビア（２５６）と更に連結される。単に一例として、電極（２６８）は、縫合により又は任意の他の好適な構成要素若しくは技術を使用して、フレキシブル基板（２４２）の下側に固定され得る。したがって、溶接部（２６４）、パッド（２６６）、電極（２６８）、及びブラインドビア（２５６）は、協調して、電極（２５０）とワイヤ（２６２）との間の電気通信のための経路を提供する。ワイヤ（２６２）は、ケーブル（３０）と更に連結され、それによって電極（２５０）をコンソール（１２）と連結する。電極（２５０）がコンソール（１２）と連結され得る他の好適な方式が、当業者には本明細書の教示を鑑みれば明らかとなろう。
【００２５】
図３に示すように、フレックス回路アセンブリ（２４０）は、縫合糸ループ（２３２）を介して支柱（２３０）のそれぞれの対に固定される。図５は、このような縫合糸ループ（２３２）を収容するために提供され得る例示的な機構を示す。図示のように、各支柱（２３０）は細長い材料のストリップの形態であり、細長い材料のストリップの長さに沿った別個の位置に形成された連結タブ（２３４）を備える。各連結タブ（２３４）は、開口部（２３６）を画定する。フレキシブル基板（２４２）はまた、一組の開口部（２４４）を画定する。開口部（２４４）は、フレキシブル基板（２４２）の一方の外側部に沿った各開口部（２４４）が、フレキシブル基板（２４２）のその外側部に沿って位置付けられた支柱（２３０）に沿った開口部（２３６）と整列するように位置付けられ、一方、フレキシブル基板（２４２）の他方の外側部に沿った各開口部（２４４）は、フレキシブル基板（２４２）の他方の外側部に沿って位置付けられた支柱（２３０）に沿った開口部（２３６）と整列する。対応する開口部（２３６、２４４）が位置合わせされると、縫合糸ループ（２３２）は、各一対の開口部（２３６、２４４）を通過して、それによってフレックス回路アセンブリ（２４０）を一対の支柱（２３０）に固定し得る。単に一例として、縫合糸ループ（２３２）は、高張力ポリマー繊維、ポリエステル（例えば、ダクロン）、ポリプロピレン、ステンレス鋼、又は任意の他の好適な材料（複数可）で形成されてもよい。各縫合糸ループ（２３２）はまた、モノフィラメントの形態又は任意の他の好適な形態であってもよい。
【００２６】
図６は、フレックス回路アセンブリ（２４０）が一対の支柱（２８０）に固定され得る、別の単なる例示的な方式を示す。この例の支柱（２８０）が連結タブ（２３４）を欠いていることを除いて、この例の支柱（２８０）は、上記で説明された支柱（２８０）と同一である。この実施例のフレックス回路アセンブリ（２４０）は、縫合糸（２８２）を介して支柱（２８０）に固定される。この実施例では、第１の縫合糸（２８２）が、フレキシブル基板（２４２）の一方の外側部に沿って螺旋状に縫い合わされ、フレキシブル基板（２４２）の外側部の下にある支柱（２８０）を捕捉し、第２の縫合糸（２８２）が、フレキシブル基板（２４２）の他方の外側部に沿って螺旋状に縫い合わされ、フレキシブル基板（２４２）の他方の外側部の下にある支柱（２８０）を捕捉する。ここでも、縫合糸（２８２）は、高張力ポリマー繊維、ポリエステル（例えば、ダクロン）、ポリプロピレン、ステンレス鋼、又は任意の他の好適な材料（複数可）で形成されてもよい。各縫合糸（２８２）はまた、モノフィラメントの形態又は任意の他の好適な形態であってもよい。図６に示される例の１つの単なる例示的な変形形態は、各支柱（２８０）上の連結タブ（２３４）のような１つ又は２つ以上の特徴を含み得、それにより、支柱（２８０）に沿ったフレキシブル基板（２４２）の少なくとも一方の端部の長手方向固定を促進する。
【００２７】
図７は、フレックス回路アセンブリ（２４０）が支柱（２８０）に固定され得る、別の単なる例示的な方式を示す。この実施例では、リベット（２９０）が、縫合糸ループ（２３２）の代わりに使用される。この実施例のリベット（２９０）は、シャフト（２９２）の各端部にヘッド（２９４）を備える中央シャフト（２９２）を有する。各ヘッド（２９４）は、各開口部（２３６、２４４）の直径よりも大きい外径を有する。シャフト（２９２）は、開口部（２３６、２４４）を通過し、１つのヘッド（２９４）がフレキシブル基板（２４２）に対して支えられ、他方のヘッド（２９４）は連結タブ（２３４）に対して支えられる。単に一例として、リベット（２９０）は、ポリマーモノフィラメント又は任意の他の好適な材料（複数可）で形成され得る。別の単なる例示的な例として、リベット（２９０）は、電気絶縁材料でコーティングされた金属材料で形成されてもよい。図７にも示されるように、絶縁層（２９６）が、フレキシブル基板（２４２）と連結タブ（２３４）との間に介在し、それによってフレックス回路アセンブリ（２４０）と支柱（２８０）との間に電気的絶縁を提供する。図８は、上述のように縫合糸ループ（２３２）を組み込む実施例において使用される、同じ種類の絶縁層（２９６）を示す。絶縁層（２９６）はまた、図６を参照して上述されたように縫合糸（２８２）が使用される変形例において使用されてもよい。
【００２８】
アブレーションカテーテルアセンブリ（１００）の使用中、アブレーションカテーテル（１２０）は、エンドエフェクタ（２００）が非拡張構成にある間に、心臓（例えば、肺静脈）に隣接する標的化された心血管構造付近にエンドエフェクタ（２００）を位置付けるように前進され得る。次いで、エンドエフェクタ（２００）を拡張して、電極（２５０）を標的の心血管構造の組織と接触させることができる。いくつかの変形例では、操作者は、拡張可能なアセンブリ（２１０）を選択的に作動させて、所望の拡張の程度を提供してもよく、拡張の程度は、標的化されている特定の解剖学的構造の寸法又は構造的構成に基づいて選択される。例えば、プルワイヤなどのアクチュエータが、拡張可能なアセンブリ（２１０）を非拡張構成から拡張構成へと移行させるために使用される変形例では、操作者は、拡張可能なアセンブリ（２１０）が電極（２５０）を解剖学的構造の組織と丁度接触させることをもたらす拡張の程度を達成するように選択された距離までアクチュエータを並進させることができる。これは、操作者が、拡張可能なアセンブリ（２１０）を過度に拡張し、それによって解剖学的構造に損傷を引き起こし得ることを回避することを可能にし得る。
【００２９】
拡張可能なアセンブリ（２１０）が電極（２５０）を標的組織と接触させるように適切に付勢した後、電極（２５０）を起動して組織にＲＦエネルギーを印加し、それによって組織をアブレーションすることができる。ＲＦエネルギーは、上記のように電極（２５０）をコンソール（１２）と電気的に連結する様々な構成要素を介してコンソール（１２）から供給され得る。次に、エンドエフェクタ（２００）を、非拡張構成に折りたたむことができる。次いで、エンドエフェクタ（２００）を別の位置に再位置付けしてもよく、上述の工程が繰り返されて、他の位置で組織をアブレーションすることができる。アブレーションが完了した後、アブレーションカテーテル（１２０）は患者（ＰＡ）から除去され得る。
【００３０】
上述のように、いくつかの使用変形例は、アブレーションが実行されている間に、流体源（４２）から標的組織部位への灌注流体の伝達を含み得る。このような灌注は、組織への過度の熱損傷を防止するために冷却を提供し得る。灌注を提供する代替として、患者自身の血液が冷却効果を提供する場合があり、その結果、流体源（４２）からの灌注流体は必要とされない。換言すれば、拡張エンドエフェクタ（２００）は、フレックス回路アセンブリ（２４０）によって覆われていない支柱（２３０）の領域間に実質的な間隙を提供する。患者の血液は、このような間隙を通って自由に流れることができ、それによって灌注効果を提供し得る。拡張されたエンドエフェクタ（２００）を通る血液の流れを更に促進するために、フレキシブル基板（２４２）は、それを貫通して形成された複数の開口部を含み得る。
【００３１】
再び図３を参照すると、本実施例の遠位ハブ（２２０）はまた、他の器具がエンドエフェクタ（２００）を通過することを可能にするようにサイズ決めされた開口部（２２２）を画定する。例えば、図３は、開口部（２２２）を通って突出し、エンドエフェクタ（２００）の遠位に位置付けられたラッソーカテーテル（１７０）を示す。ラッソーカテーテル（１７０）は、複数の電極（１７４）が間隔を置いて配置された螺旋状本体部分（１７２）を含む。単に一例として、ラッソーカテーテル（１７０）は、米国特許出願公開第２０１８／００３６０７８号、発明の名称「Ｃａｔｈｅｔｅｒ  ｗｉｔｈ  Ｓｏｆｔ  Ｄｉｓｔａｌ  Ｔｉｐ  ｆｏｒ  Ｍａｐｐｉｎｇ  ａｎｄ  Ａｂｌａｔｉｎｇ  Ｔｕｂｕｌａｒ  Ｒｅｇｉｏｎ」（２０１８年２月８日公開、その開示は参照により本明細書に組み込まれる）の教示の少なくともいくつかに従って構成及び動作可能であり得る。図３はまた、開口部（２２２）を通って突出し、エンドエフェクタ（２００）の遠位に位置付けられた別のカテーテル（１８０）（破線）を示す。カテーテル（１８０）は、力センサ又は任意の他の好適な特徴（複数可）を含んでもよい。単に一例として、カテーテル（１８０）は、米国特許第８，３５７，１５２号、名称「Ｃａｔｈｅｔｅｒ  ｗｉｔｈ  Ｐｒｅｓｓｕｒｅ  Ｓｅｎｓｉｎｇ」（２０１３年１月２２日発行、その開示は参照により本明細書に組み込まれる）、米国特許出願公開第２０１１／０１３０６４８号、名称「Ｃａｔｈｅｔｅｒ  ｗｉｔｈ  Ｐｒｅｓｓｕｒｅ  Ｍｅａｓｕｒｉｎｇ  Ｔｉｐ」（２００９年１１月３０日公開）又は本明細書に引用される任意の他の特許参考文献、の教示の少なくともいくつかに従って構成及び動作可能であり得る。開口部（２２２）を通過することができる他の好適な器具は、本明細書の教示を鑑みれば当業者には明らかになるであろう。
【００３２】
いくつかの変形形態では、エンドエフェクタ（２００）は、患者（ＰＡ）内のエンドエフェクタ（２００）の位置及び配向を示す信号を生成するように動作可能な位置センサ（図示せず）を含む。更に単に一例として、かかる位置センサは、ラッソーカテーテル（１７０）又はカテーテル（１８０）などのエンドエフェクタ（２００）と関連付けられた別の器具に組み込まれてもよい。いくつかの変形例では、位置センサは、磁場発生器（２０）によって生成された交流電磁場の存在に応答して電気信号を発生させるように構成される、１つのワイヤコイル又は複数のワイヤコイル（例えば、３つの直交コイル）を含む。エンドエフェクタ（２００）に関連付けられたリアルタイム位置データを生成するために使用することができる他の構成要素及び技術としては、無線三角測量、音響トラッキング、光学トラッキング、慣性トラッキングなどが挙げられ得る。アブレーションカテーテルアセンブリ（１００）のいくつかの変形形態は、位置センサを欠く場合がある。
【００３３】
いくつかの変形例では、電極（２５０）は、ＲＦアブレーション機能及びＥＰマッピング機能の両方を提供するように構成される。いくつかの他の変形例では、電極（２５０）は、ＥＰマッピング機能を提供することなくＲＦアブレーション機能のみを提供するように構成される。更に他の変形例では、電極（２５０）は、ＲＦアブレーション機能も提供することなくＥＰマッピング機能を提供するようにのみ構成される。更に別の単なる例示的な例として、アブレーションカテーテル（１２０）は、ＲＦアブレーション機能のみを提供するために専用であるいくつかの電極（２５０）と、ＥＰマッピング機能のみを提供するために専用である他の電極とを含むことができる。電極（２５０）に関連付けられ得る他の好適な構成及び機能が、本明細書における教示を鑑みれば当業者には明らかになるであろう。
【００３４】
ＲＦアブレーション機能のみを提供することに専用であるいくつかの電極（２５０）と、ＥＰマッピング機能のみを提供することに専用の他の電極とを含むアブレーションカテーテル（１２０）の単なる例示的な例として、エンドエフェクタ（２００）の遠位領域は、ＥＰマッピング専用の電極を含んでもよい。このようなＥＰマッピング電極は、電極（２５０）の遠位に位置付けられ得る。例えば、そのようなＥＰマッピング電極は、遠位ハブ（２２０）上、フレックス回路アセンブリ（２４０）の遠位にあるエンドエフェクタ（２００）上のどこか（例えば、１つ又は２つ以上の別個のフレックス回路上）、フレックス回路アセンブリ（２４０）の遠位領域のどこか、又は他の場所に提供されてもよい。このようなＥＰマッピング電極は、電極（２５０）に対して分離されてもよい。このようなＥＰマッピング電極は、ＲＦアブレーションが適用される前に、ＲＦアブレーションの標的領域を特定するのを支援するために使用されてもよい。このようなＥＰマッピング電極はまた、ＲＦアブレーションが適用された後、ＲＦアブレーションが十分であったかどうかを検証するために使用されてもよい。更に、このようなＥＰマッピング電極は、ＲＦアブレーション中にリアルタイムで心電図信号を監視して、ＲＦアブレーションの有効性に関するリアルタイムフィードバックを提供し得る。ＥＰマッピング電極がエンドエフェクタ（２００）に統合されている変形例では、ラッソーカテーテル（１７０）は省略されてもよい。
【００３５】
ＩＩＩ．例示的な代替のエンドエフェクタ構成
図９は、アブレーションカテーテル（１２０）の遠位端（１２２）に位置付けられ得る例示的な代替のエンドエフェクタ（３００）を示す。この実施例のエンドエフェクタ（３００）は、非拡張構成と拡張構成との間で移行するように構成される拡張可能なアセンブリ（３１０）を含み、拡張構成は図９に示される。非拡張構成では、拡張可能なアセンブリ（３１０）は、図２Ａに示される拡張可能なアセンブリ（２１０）に概ね似ていてもよい。拡張可能なアセンブリ（３１０）は、拡張可能なアセンブリ（２１０）に関して上述したいずれかのものと同様の様態で、拡張構成と非拡張構成との間で移行され得る。更に単に一例として、拡張可能なアセンブリ（３１０）は、米国特許出願公開第２０１７／０１５６８４０号、名称「Ｍｅｄｉｃａｌ  Ｄｅｖｉｃｅ  ｆｏｒ  Ｍｏｄｉｆｉｃａｔｉｏｎ  ｏｆ  Ｌｅｆｔ  Ａｔｒｉａｌ  Ａｐｐｅｎｄａｇｅ  ａｎｄ  Ｒｅｌａｔｅｄ  Ｓｙｓｔｅｍｓ  ａｎｄ  Ｍｅｔｈｏｄ」（２０１７年６月８日公開）の教示のいずれかに従って、拡張構成と非拡張構成との間で移行することができる。拡張可能なアセンブリ（３１０）が拡張構成と非拡張構成との間で移行することができる他の好適な方式は、本明細書の教示を鑑みれば当業者には明らかであろう。
【００３６】
この例の拡張可能なアセンブリ（３１０）は、角度的に離間された支柱（３３０）のアレイを含む。支柱（３３０）は、ニチノール又は任意の他の好適な材料（複数可）で形成することができる。この実施例の各支柱（３３０）は、各支柱（３３０）の両端が、アブレーションカテーテル（１２０）端部の遠位端（１２２）に位置するように、遠位屈曲部（３３１）を含む。いくつかの変形形態では、ハブ（図示せず）が、遠位屈曲部（３３１）の間で中央に位置付けられ、ハブを遠位屈曲部（３３１）と中心的に連結するために、複数のスポーク（図示せず）がハブから外向きに放射状に広がる。したがって、スポーク及びハブは、支柱（３３０）と協働して、ハブ及び支柱（３３０）の相対的な長手方向の並進に応じて、拡張可能なアセンブリ（３１０）を拡張構成と非拡張構成との間で移行させることができる。
【００３７】
フレックス回路アセンブリ（２４０）は、支柱（３３０）に固定される。具体的には、各フレキシブル基板（２４２）の１つの外側部は、その支柱（３３０）の遠位屈曲部（３３１）の一方の外側部の対応する支柱（３３０）の１つのセグメントに固定され、一方で、そのフレキシブル基板（２４２）の他方の外側部は、その支柱（３３０）の遠位屈曲部（３３１）の他の外側部の同じ支柱（３３０）の他のセグメントに固定される。本実施例では、フレックス回路アセンブリ（２４０）は、縫合糸ループ（３３２）を介して支柱（３３０）に固定されるが、本明細書に記載される任意の他の好適な構成要素及び技術を使用して、フレックス回路アセンブリ（２４０）を支柱（３３０）に固定することができる。
【００３８】
拡張構成では、図９に示される例のエンドエフェクタ（３００）は、概して、エンドエフェクタ（２００）のような球根状ではなく、チューリップ又は円錐のような形状である。あるいは、エンドエフェクタ（３００）は、拡張構成にあるとき、砂時計形状などを含むがこれらに限定されない、任意の他の好適な形状を有してもよい。エンドエフェクタ（３００）は、上述のエンドエフェクタ（２００）と同様に使用されてもよく、支柱（３３０）が電極（２５０）を付勢して組織と接触させ、電極（２５０）が活性化されて隣接する組織のＲＦアブレーションを提供する。エンドエフェクタ（３００）はまた、それを通る患者の血液の流れを可能にし得、それによって血液が、組織への過度の熱損傷を回避するために冷却効果を提供する灌注流体として機能することを可能にする。
【００３９】
図１０は、アブレーションカテーテル（１２０）の遠位端（１２２）に位置付けられ得る別の例示的な代替のエンドエフェクタ（４００）を示す。この実施例のエンドエフェクタ（４００）は、非拡張構成と拡張構成との間で移行するように構成される拡張可能なアセンブリ（４１０）を含み、拡張構成は図１０に示される。非拡張構成では、拡張可能なアセンブリ（４１０）は、図２Ａに示される拡張可能なアセンブリ（２１０）に概ね似ていてもよい。
【００４０】
この実施例の拡張可能なアセンブリ（４１０）は、ワイヤメッシュ又はケージ（４３０）を含む。ケージ（４３０）は、ニチノール又は任意の他の好適な材料（複数可）で形成することができる。遠位ハブ（４２０）が、ケージ（４３０）の遠位端に固定される。中央シャフト（図示せず）が、ケージ（４３０）の中心を通過し、遠位ハブ（４２０）に固定され得る。拡張可能なアセンブリ（４１０）は、拡張可能なアセンブリ（２１０）に関して上述したいずれかのものと同様の様態で、拡張構成と非拡張構成との間で移行され得る。拡張可能なアセンブリ（４１０）は、したがって、拡張構成をとるように弾性的に付勢され得、シース（例えば、シース（１５０）のような）を使用して、拡張可能なアセンブリ（４１０）を非拡張構成に保持し得る。あるいは、アクチュエータアセンブリが、遠位ハブ（４２０）とアブレーションカテーテル（１２０）の遠位端（１２２）との間の相対的な長手方向の移動を提供して、ケージ（４３０）を座屈させ、それによって拡張構成に変形させることができる。拡張可能なアセンブリ（４１０）が拡張構成と非拡張構成との間で移行することができる他の好適な方式は、本明細書の教示を鑑みれば当業者には明らかであろう。
【００４１】
フレックス回路アセンブリ（２４０）は、ケージ（４３０）に固定されている。具体的には、縫合糸ループ（４３２）が、フレックス回路アセンブリ内の開口部及びケージ（４３０）によって画定された開口部を通過する。あるいは、任意の他の好適な構成要素及び技術を使用して、フレックス回路アセンブリ（２４０）をケージ（４３０）に固定することができる。
【００４２】
拡張構成では、図１０に示される実施例のエンドエフェクタ（４００）は、概ね球根状である。あるいは、エンドエフェクタ（４００）は、拡張構成にあるとき、円錐形、砂時計形状などを含むがこれらに限定されない、任意の他の好適な形状を有してもよい。エンドエフェクタ（４００）は、上述のエンドエフェクタ（２００）と同様に使用されてもよく、ケージ（４３０）が、電極（２５０）を付勢して組織と接触させ、電極（２５０）が活性化されて隣接する組織のＲＦアブレーションを提供する。エンドエフェクタ（４００）はまた、それを通る患者の血液の流れを可能にし得、それによって血液が、組織への過度の熱損傷を回避するために冷却効果を提供する灌注流体として機能することを可能にする。
【００４３】
図１１〜図１２は、アブレーションカテーテル（１２０）の遠位端（１２２）に位置付けられ得る、更に別の例示的な代替のエンドエフェクタ（５００）を示す。この実施例のエンドエフェクタ（５００）は、非拡張構成と拡張構成との間で移行するように構成される拡張可能なアセンブリ（５１０）を含み、拡張構成は図１１〜図１２に示される。非拡張構成では、拡張可能なアセンブリ（５１０）は、図２Ａに示される拡張可能なアセンブリ（２１０）に概ね似ていてもよい。
【００４４】
この実施例の拡張可能なアセンブリ（５１０）は、複数の支柱（５３０、５３２）を含む。第１の組の支柱（５３０）は、長手方向に延在し、角度的に離間したアレイ内に位置付けられる。第２の組の支柱（５３２）は、概ね周方向の経路に沿って支柱（５３０）の間に延在する。本実施例では、支柱（５３２）は、遠位サブセット内及び近位サブセット内に配置される。あるいは、支柱（５３２）のサブセットの任意の他の好適な数及び配置が提供されてもよい。各支柱（５３２）はＶ字形を有し、概ね真っ直ぐな構成に向かって弾性的に付勢されており、それにより、支柱（５３２）が互いに協働して支柱（５３０）間の一貫した角度間隔を確保し、支柱（５３０）が互いに束ねられるのを防ぎ、支柱（５３０）がそれらの形状を維持するのを助ける。いくつかの変形形態では、支柱（５３２）は省略される。
【００４５】
遠位ハブ（５２０）が、支柱（５３０）の遠位端に固定される。中心シャフト（５１２）が、拡張可能なアセンブリ（５１０）の中心を通過し、遠位ハブ（５２０）に固定される。拡張可能なアセンブリ（５１０）は、拡張可能なアセンブリ（２１０）に関して上述したいずれかのものと同様の様態で、拡張構成と非拡張構成との間で移行され得る。拡張可能なアセンブリ（５１０）は、したがって、拡張構成をとるように弾性的に付勢され得、シース（例えば、シース（１５０）のような）を使用して、拡張可能なアセンブリ（５１０）を非拡張構成に保持し得る。あるいは、アクチュエータアセンブリが、遠位ハブ（５２０）とアブレーションカテーテル（１２０）の遠位端（１２２）との間の相対的な長手方向の移動を提供して、支柱（５３０）を座屈させ、それによって拡張構成に変形させることができる。拡張可能なアセンブリ（５１０）が拡張構成と非拡張構成との間で移行することができる他の好適な方式は、本明細書の教示を鑑みれば当業者には明らかであろう。
【００４６】
フレックス回路アセンブリ（２４０）は、スリーブ（５４０）に固定される。スリーブ（５４０）は、ナイロン、ポリエステル（例えば、ダクロン）、ポリプロピレン、ｅＰＴＦＥ、ポリウレタンなどのポリマーを含むがこれらに限定されない、任意の好適な材料（複数可）から形成され得る。スリーブ（５４０）のいくつかの変形形態は、内部を通る流体の伝達を容易にするために、それを通して形成された１つ又は２つ以上のスリット又は開口部を含み得る。単に一例として、フレックス回路アセンブリ（２４０）は、熱融着、ステッチング、縫合糸ループ、リベットを介して、又は任意の他の好適な構成要素若しくは技術を使用してスリーブ（５４０）に固定され得る。いくつかの変形形態では、各フレックス回路アセンブリ（２４２）のワイヤ（２６２）は、スリーブ（５４０）内で織られる。本実施例のスリーブ（５４０）は、支柱（５３０、５３２）の上に適合され、それによってフレックス回路アセンブリ（２４０）を支柱（５３０、５３２）に対して固定する。単に一例として、スリーブ（５４０）は、ステッチング、縫合糸ループ、リベットを介して、又は任意の他の好適な構成要素若しくは技術を使用して、支柱（５３０）に固定されてもよい。いくつかの変形例では、スリーブ（５４０）は、支柱（５３０）間の一貫した角度間隔を促進し、支柱（５３０）が一緒に束ねられるのを防ぎ、支柱（５３０）がその形状を維持するのを助ける。スリーブ（５４０）はまた、組織が支柱（５３０）の間に捕捉され、挟まれるリスクを低減し得る。
【００４７】
拡張構成では、図１１〜図１２に示される実施例のエンドエフェクタ（５００）は、概ね洋ナシ形状であり、エンドエフェクタ（５００）の遠位領域はエンドエフェクタ（５００）の近位領域よりも狭い。いくつかの他の変形形態では、エンドエフェクタ（５００）は、拡張構成において依然として洋ナシ形状であるが、エンドエフェクタ（５００）の遠位領域は、エンドエフェクタ（５００）の近位領域よりも広い。あるいは、エンドエフェクタ（５００）は、拡張構成にあるとき、円錐形、砂時計形などを含むがこれらに限定されない、任意の他の好適な形状を有してもよい。エンドエフェクタ（５００）は、上述のエンドエフェクタ（２００）と同様に使用されてもよく、拡張可能なアセンブリ（５１０）が、電極（２５０）を付勢して組織と接触させ、電極（２５０）が活性化されて隣接する組織のＲＦアブレーションを提供する。エンドエフェクタ（５００）はまた、それを通る患者の血液の流れを可能にし得、それによって血液が、組織への過度の熱損傷を回避するために冷却効果を提供する灌注流体として機能することを可能にする。
【００４８】
スリーブ（５４０）は、エンドエフェクタ（５００）の文脈でのみ示されているが、本明細書に記載される他のエンドエフェクタ（２００、３００、４００）のいずれも、スリーブ（５４０）を組み込むように容易に修正され得る。換言すれば、フレックス回路アセンブリ（２４０）は、スリーブ（５４０）又はその変形形態を介して、本明細書に記載される拡張可能なアセンブリ（２１０、３１０、４１０、５１０）のいずれかに固定されてもよい。
【００４９】
エンドエフェクタ（２００）が、ＲＦアブレーション電極（２５０）を含むことに加えてＥＰマッピング電極を含む変形形態を有し得るのと同様に、エンドエフェクタ（３００、４００、５００）もまた、電極（２５０）を有することに加えてＥＰマッピング電極を有し得る。エンドエフェクタ（２００）と同様に、そのようなＥＰマッピング電極は、電極（２５０）に対して遠位に位置付けられ得、電極（２５０）に対して電気的に絶縁され得る。
【００５０】
上記の様々な実施例では、フレックス回路アセンブリ（２４０）は、接着剤を使用せずに拡張可能なアセンブリ（２１０、３１０、４１０、５１０）に固定され得る。換言すれば、フレックス回路アセンブリ（２４０）は、縫合糸ループ（２３２、３３２、４３２）、リベット（２９０）、縫われた縫合糸（２８２）、スリーブ（５４０）、又は何らかの他の機械的／非接着構造体を介して、拡張可能なアセンブリ（２１０、３１０、４１０、５１０）に固定され得る。エンドエフェクタ（２００、３００、４００、５００）を組み立てるプロセスにおいて、ロボットシステムが、縫合糸ループ（２３２、３３２、４３２）を適用するため、リベット（２９０）を形成するため、縫合糸（２８２）を縫うため、又は本明細書で企図されるようにフレックス回路アセンブリ（２４０）を拡張可能なアセンブリ（２１０、３１０、４１０、５１０）に固定する任意の他の形態を提供するために容易に実装され得る。
【００５１】
ＩＶ．例示的な組み合わせ
以下の実施例は、本明細書の教示を組み合わせるか又は適用することができる、様々な非網羅的な方式に関する。以下の実施例は、本出願における又は本出願の後の出願におけるどの時点でも提示され得る、いずれの特許請求の範囲の適用範囲をも限定することを目的としたものではない、と理解すべきである。一切の棄権を意図するものではない。以下の実施例は、単なる例示の目的で与えられるものに過ぎない。本明細書の様々な教示は、多くの他の方式で構成及び適用され得ると考えられる。また、いくつかの変形形態では、以下の実施例において言及される特定の特徴を省略してよいことも、考えられる。したがって、本発明者ら又は本発明者らの利益の継承者により、後日、そうである旨が明示的に示されない限り、以下に言及される態様又は特徴のいずれも重要なものとしてみなされるべきではない。以下に言及される特徴以外の更なる特徴を含むいかなる特許請求の範囲も本出願において、又は本出願に関連する後の出願において示される場合、それらの更なる特徴は、特許性に関連するいかなる理由によっても追加されたものとして仮定されるべきではない。
【実施例１】
【００５２】
装置であって、（ａ）カテーテルであって、カテーテルの少なくとも一部分が、ヒト心臓血管系の内腔内に収まるようにサイズ決め及び構成されている、カテーテルと、（ｂ）カテーテルの遠位端に位置付けられたエンドエフェクタと、を備え、エンドエフェクタが、（ｉ）拡張可能なアセンブリであって、拡張可能なアセンブリが、非拡張状態と拡張状態との間で移行するように構成されており、拡張可能なアセンブリが、少なくとも１つの変形可能な支柱又はケージを備える、拡張可能なアセンブリと、（ｉｉ）少なくとも１つのフレックス回路と、を備え、少なくとも１つのフレックス回路の各フレックス回路が、（Ａ）接着剤なしで拡張可能なアセンブリに固定されたフレキシブル基板と、（Ｂ）フレキシブル基板に固定された電極と、を備え、拡張状態にある拡張可能なアセンブリが、電極を付勢して組織と接触させるように構成されており、電極が、長手方向に細長い部分と、長手方向に細長い部分から横方向に延在する複数の指部とを画定する魚の骨状の構成を有する、装置。
【実施例２】
【００５３】
拡張可能なアセンブリが、長手方向軸の周りのアレイ内で互いに角度的に離間された複数の長手方向に延在する支柱を備える、実施例１に記載の装置。
【実施例３】
【００５４】
支柱が、概ね真っ直ぐな構成と外向きに弓状に曲がった構成との間で移行し、それによって、拡張可能なアセンブリを、それぞれ非拡張状態と拡張状態との間で移行させるように構成されている、実施例２に記載の装置。
【実施例４】
【００５５】
各フレックス回路のフレキシブル基板が、複数の支柱の対応する対の支柱に固定され、複数の支柱の各支柱が自己拡張部材を含む、実施例２〜３のいずれか１つ又は２つ以上に記載の装置。
【実施例５】
【００５６】
各支柱が、少なくとも１つの連結タブを備え、各フレックス回路のフレキシブル基板が、対応する対の支柱の各支柱の少なくとも１つの連結タブに固定されている、実施例４に記載の装置。
【実施例６】
【００５７】
エンドエフェクタが、遠位ハブを更に備え、支柱の遠位部分が、遠位ハブに固定されている、実施例２〜５のいずれか１つ又は２つ以上に記載の装置。
【実施例７】
【００５８】
ハブに固定された中央シャフトを更に備え、シャフトが、拡張可能なアセンブリを通って延在し、拡張可能なアセンブリが、カテーテルの遠位端とハブ及び中央シャフトの組み合わせとの間の相対的な長手方向の移動に応じて、非拡張状態と拡張状態との間を移行するように構成されている、実施例６に記載の装置。
【実施例８】
【００５９】
各支柱が、一対の長手方向に延在するセグメントと、長手方向に延在するセグメントを接合する遠位屈曲部とを含む、実施例２〜５のいずれか１つ又は２つ以上に記載の装置。
【実施例９】
【００６０】
拡張可能なアセンブリが、長手方向に延在する支柱の間に延在する複数の周方向に延在する支柱を更に備える、実施例２〜８のいずれか１つ又は２つ以上に記載の装置。
【実施例１０】
【００６１】
周方向に延在する支柱が、長手方向に延在する支柱を互いから角度的に離れるように付勢するように構成されている、実施例９に記載の装置。
【実施例１１】
【００６２】
エンドエフェクタが、拡張可能なアセンブリの上に位置付けられたスリーブを更に備え、少なくとも１つのフレックス回路が、スリーブに固定されている、実施例１〜１０のいずれか１つ又は２つ以上に記載の装置。
【実施例１２】
【００６３】
スリーブが、織物材料を含む、実施例１１に記載の装置。
【実施例１３】
【００６４】
少なくとも１つのフレックス回路が、１つ又は２つ以上の縫合糸を介して拡張可能なアセンブリに固定されている、実施例１〜１２のいずれか１つ又は２つ以上に記載の装置。
【実施例１４】
【００６５】
少なくとも１つのフレックス回路が、１つ又は２つ以上のリベットを介して拡張可能なアセンブリに固定されている、実施例１〜１２のいずれか１つ又は２つ以上に記載の装置。
【実施例１５】
【００６６】
１つ又は２つ以上のリベットが、モノフィラメントポリマーで形成されている、実施例１４に記載の装置。
【実施例１６】
【００６７】
拡張可能なアセンブリが、拡張状態において球根状形状を形成するように構成されている、実施例１〜１５のいずれか１つ又は２つ以上に記載の装置。
【実施例１７】
【００６８】
拡張可能なアセンブリが、拡張状態において円錐形状を形成するように構成されている、実施例１〜１５のいずれか１つ又は２つ以上に記載の装置。
【実施例１８】
【００６９】
拡張可能なアセンブリが、拡張状態において洋ナシ形状を形成するように構成されている、実施例１〜１５のいずれか１つ又は２つ以上に記載の装置。
【実施例１９】
【００７０】
装置であって、（ａ）カテーテルであって、カテーテルの少なくとも一部分が、ヒト心臓血管系の内腔内に収まるようにサイズ決め及び構成されている、カテーテルと、（ｂ）カテーテルの遠位端に位置付けられたエンドエフェクタと、を備え、エンドエフェクタが、（ｉ）拡張可能なワイヤフレームアセンブリであって、拡張可能なワイヤフレームアセンブリが、非拡張状態と拡張状態との間で移行するように構成されている、拡張可能なワイヤフレームアセンブリと、（ｉｉ）少なくとも１つのフレックス回路と、を備え、少なくとも１つのフレックス回路の各フレックス回路が、（Ａ）ループ、リベット又はステッチからなる群から選択された１つ又は２つ以上の構造体を介して、拡張可能なワイヤフレームアセンブリに固定されたフレキシブル基板と、（Ｂ）フレキシブル基板に固定された電極と、を備え、拡張状態にある拡張可能なワイヤフレームアセンブリが、電極を付勢して組織と接触させるように構成されている、装置。
【実施例２０】
【００７１】
電気生理学的デバイスであって、（ａ）拡張可能なアセンブリであって、拡張可能なアセンブリが、非拡張状態と拡張状態との間で機械的に移行するように構成されている、拡張可能なアセンブリと、（ｂ）拡張可能なアセンブリの周りに位置付けられたスリーブと、（ｃ）少なくとも１つのフレックス回路と、を備え、少なくとも１つのフレックス回路の各フレックス回路が、（ｉ）接着剤なしで、スリーブに固定されたフレキシブル基板と、（ｉｉ）フレキシブル基板に固定された電極であって、電極が、長手方向に細長い部分と、長手方向に細長い部分から横方向に延在する複数の指部とを画定する魚の骨状の構成を有する、電極と、を備え、拡張状態にある拡張可能なアセンブリが、電極を付勢して組織と接触させるように構成されている、電気生理学的デバイス。
【００７２】
Ｖ．その他
本明細書に記載されている実施例のうちのいずれも、上述のものに加えて又はそれに代えて、様々な他の特徴を含み得ることが理解されるべきである。単に一例として、本明細書に記載されている実施例のうちのいずれも、参照により本明細書に組み込まれる様々な参考文献のいずれかに開示されている様々な特徴のうちの１つ又は２つ以上を含むこともできる。
【００７３】
本明細書に記載の教示、表現要素、実施形態、実施例などのうちのいずれか１つ又は２つ以上を、本明細書に記載の他の教示、表現要素、実施形態、実施例などのうちのいずれか１つ又は２つ以上と組み合わせることができる点が理解されるべきである。したがって、上記の教示、表現要素、実施形態、実施例などは、互いに対して独立して考慮されるべきではない。本明細書の教示に照らして、本明細書の教示を組み合わせることができる様々な好適な方式が、当業者には容易に明らかとなろう。このような修正形態及び変形形態は、特許請求の範囲の範囲内に含まれるものとする。
【００７４】
参照により本明細書に組み込まれると言及されたいかなる特許、公報、又は他の開示内容も、全体的に又は部分的に、組み込まれた内容が現行の定義、見解、又は本開示に記載される他の開示内容とあくまで矛盾しない範囲でのみ本明細書に組み込まれる、と理解されなければならない。それ自体、また必要な範囲で、本明細書に明瞭に記載される開示は、参考により本明細書に組み込まれるあらゆる矛盾する資料に優先するものとする。参照により本明細書に組み込まれると言及されているが、現行の定義、見解、又は本明細書に記載される他の開示内容と矛盾する任意の内容、又はそれらの部分は、組み込まれた内容と現行の開示内容との間に矛盾が生じない範囲においてのみ、組み込まれるものとする。
【００７５】
本発明の様々な変形例について図示し説明してきたが、本明細書で説明した方法及びシステムの更なる応用が、当業者による適切な改変形態により、本発明の範囲から逸脱することなく実現され得る。このような可能な改変のうちのいくつかについて述べたが、他の改変も当業者には明らかとなるであろう。例えば、上で考察された実施例、変形例、幾何形状、材料、寸法、比率、工程などは例示的なものであって、必須ではない。したがって、本発明の範囲は、以下の特許請求の範囲の観点から考慮されるべきであり、本明細書及び図面において図示され、説明された構造及び動作の細部に限定されないものとして、理解されたい。
【００７６】
〔実施の態様〕
（１）  装置であって、
（ａ）カテーテルであって、前記カテーテルの少なくとも一部分が、ヒト心臓血管系の内腔内に収まるようにサイズ決め及び構成されている、カテーテルと、
（ｂ）前記カテーテルの遠位端に位置付けられたエンドエフェクタと、を備え、前記エンドエフェクタが、
（ｉ）拡張可能なアセンブリであって、前記拡張可能なアセンブリが、非拡張状態と拡張状態との間で移行するように構成されており、前記拡張可能なアセンブリが、少なくとも１つの変形可能な支柱又はケージを備える、拡張可能なアセンブリと、
（ｉｉ）少なくとも１つのフレックス回路と、を備え、前記少なくとも１つのフレックス回路の各フレックス回路が、
（Ａ）接着剤なしで前記拡張可能なアセンブリに固定されたフレキシブル基板と、
（Ｂ）前記フレキシブル基板に固定された電極と、を備え、前記拡張状態にある前記拡張可能なアセンブリが、前記電極を付勢して組織と接触させるように構成されており、前記電極が、長手方向に細長い部分と、前記長手方向に細長い部分から横方向に延在する複数の指部とを画定する魚の骨状の構成を有する、装置。
（２）  前記拡張可能なアセンブリが、長手方向軸の周りのアレイ内で互いに角度的に離間した複数の長手方向に延在する支柱を備える、実施態様１に記載の装置。
（３）  前記支柱が、概ね真っ直ぐな構成と外向きに弓状に曲がった構成との間で移行し、それによって、前記拡張可能なアセンブリを、それぞれ前記非拡張状態と前記拡張状態との間で移行させるように構成されている、実施態様２に記載の装置。
（４）  各フレックス回路の前記フレキシブル基板が、前記複数の支柱の対応する対の支柱に固定され、前記複数の支柱の各支柱が自己拡張部材を含む、実施態様２に記載の装置。
（５）  各支柱が、少なくとも１つの連結タブを備え、各フレックス回路の前記フレキシブル基板が、前記対応する対の支柱の各支柱の前記少なくとも１つの連結タブに固定されている、実施態様４に記載の装置。
【００７７】
（６）  前記エンドエフェクタが、遠位ハブを更に備え、前記支柱の遠位部分が、前記遠位ハブに固定されている、実施態様２に記載の装置。
（７）  前記ハブに固定された中央シャフトを更に備え、前記シャフトが、前記拡張可能なアセンブリを通って延在し、前記拡張可能なアセンブリが、前記カテーテルの前記遠位端と前記ハブ及び前記中央シャフトの組み合わせとの間の相対的な長手方向の移動に応じて、前記非拡張状態と前記拡張状態との間を移行するように構成されている、実施態様６に記載の装置。
（８）  各支柱が、一対の長手方向に延在するセグメントと、前記長手方向に延在するセグメントを接合する遠位屈曲部とを含む、実施態様２に記載の装置。
（９）  前記拡張可能なアセンブリが、前記長手方向に延在する支柱の間に延在する複数の周方向に延在する支柱を更に備える、実施態様２に記載の装置。
（１０）  前記周方向に延在する支柱が、前記長手方向に延在する支柱を互いから角度的に離れるように付勢するように構成されている、実施態様９に記載の装置。
【００７８】
（１１）  前記エンドエフェクタが、前記拡張可能なアセンブリの上に位置付けられたスリーブを更に備え、前記少なくとも１つのフレックス回路が、前記スリーブに固定されている、実施態様２に記載の装置。
（１２）  前記スリーブが、織物材料を含む、実施態様１１に記載の装置。
（１３）  前記少なくとも１つのフレックス回路が、１つ又は２つ以上の縫合糸を介して前記拡張可能なアセンブリに固定されている、実施態様１に記載の装置。
（１４）  前記少なくとも１つのフレックス回路が、１つ又は２つ以上のリベットを介して前記拡張可能なアセンブリに固定されている、実施態様１に記載の装置。
（１５）  前記１つ又は２つ以上のリベットが、モノフィラメントポリマーで形成されている、実施態様１４に記載の装置。
【００７９】
（１６）  前記拡張可能なアセンブリが、前記拡張状態において球根状形状を形成するように構成されている、実施態様１に記載の装置。
（１７）  前記拡張可能なアセンブリが、前記拡張状態において円錐形状を形成するように構成されている、実施態様１に記載の装置。
（１８）  前記拡張可能なアセンブリが、前記拡張状態において洋ナシ形状を形成するように構成されている、実施態様１に記載の装置。
（１９）  装置であって、
（ａ）カテーテルであって、前記カテーテルの少なくとも一部分が、ヒト心臓血管系の内腔内に収まるようにサイズ決め及び構成されている、カテーテルと、
（ｂ）前記カテーテルの遠位端に位置付けられたエンドエフェクタと、を備え、前記エンドエフェクタが、
（ｉ）拡張可能なワイヤフレームアセンブリであって、前記拡張可能なワイヤフレームアセンブリが、非拡張状態と拡張状態との間で移行するように構成されている、拡張可能なワイヤフレームアセンブリと、
（ｉｉ）少なくとも１つのフレックス回路と、を備え、前記少なくとも１つのフレックス回路の各フレックス回路が、
（Ａ）ループ、リベット、又はステッチからなる群から選択される１つ又は２つ以上の構造体を介して、前記拡張可能なワイヤフレームアセンブリに固定されたフレキシブル基板と、
（Ｂ）前記フレキシブル基板に固定された電極と、を備え、前記拡張状態にある前記拡張可能なワイヤフレームアセンブリが、前記電極を付勢して組織と接触させるように構成されている、装置。
（２０）  電気生理学的デバイスであって、
（ａ）拡張可能なアセンブリであって、前記拡張可能なアセンブリが、非拡張状態と拡張状態との間で機械的に移行するように構成されている、拡張可能なアセンブリと、
（ｂ）前記拡張可能なアセンブリの周りに位置付けられたスリーブと、
（ｃ）少なくとも１つのフレックス回路と、を備え、前記少なくとも１つのフレックス回路の各フレックス回路が、
（ｉ）接着剤なしで、前記スリーブに固定されたフレキシブル基板と、
（ｉｉ）前記フレキシブル基板に固定された電極であって、前記電極が、長手方向に細長い部分と、前記長手方向に細長い部分から横方向に延在する複数の指部とを画定する魚の骨状の構成を有する、電極と、を備え、前記拡張状態にある前記拡張可能なアセンブリが、前記電極を付勢して組織と接触させるように構成されている、電気生理学的デバイス。
【図１】
2021529608.tif 000003
【図２Ａ】
2021529608.tif 000004
【図２Ｂ】
2021529608.tif 000005
【図３】
2021529608.tif 000006
【図４】
2021529608.tif 000007
【図５】
2021529608.tif 000008
【図６】
2021529608.tif 000009
【図７】
2021529608.tif 000010
【図８】
2021529608.tif 000011
【図９】
2021529608.tif 000012
【図１０】
2021529608.tif 000013
【図１１】
2021529608.tif 000014
【図１２】
2021529608.tif 000015
【国際調査報告】
2021529608.tif 000016
2021529608.tif 000017